(57)【特許請求の範囲】
【請求項１】
読書等鑑賞のためのディジタルコンテンツオペレーティングシステムであって、コンピュータ、ディジタルコンテンツのアクセス履歴を記録するアクセス履歴記録部、リアクション履歴を記録するリアクション履歴記録部、原コンテンツを加工したパーソナル利用コンテンツを記録するパーソナル利用コンテンツ記録部及び前記アクセス履歴と前記リアクション履歴を採取・記録・蓄積し、読者等に加工・利用可能にするコンテンツオペレーティングソフトウェアを有し、前記原コンテンツの加工はマーキングにより行い、前記アクセス履歴は、読者等がディジタルコンテンツにアクセスしたことの履歴を記録として残したもので、アクセス者、アクセス日時、アクセス対象、アクセス部分、アクセス方法等から構成され、前記リアクション履歴は、読者等がアクセス対象又は／及びアクセス部分に対してアクセスしたことにより生じた反応（リアクション）の事象を、読者等の指示により記録として残したもので、前記リアクションの事象は、棒読み、素読、精読を含んで分類されることを特徴とするディジタルコンテンツオペレーティングシステム。
【請求項２】
前記リアクションの事象は前記マーキングの行為を含み、前記マーキングの方法はアンダーライン、色マーキング又は色反転表示であり、前記マーキングの意味は前記読者等が好むように決められることを特徴とする請求項１記載のディジタルコンテンツオペレーティングシステム。
【請求項３】
前記アクセス部分として前記マーキング箇所が記録されることを特徴とする請求項２記載のディジタルコンテンツオペレーティングシステム。
【発明の詳細な説明】
【０００１】
【発明の属する技術分野】
本発明はディジタルコンテンツに対するアクセス履歴とリアクション履歴の採取・記録・保存及びその加工・利用に関する。
【０００２】
【従来の技術】
書籍・音楽・美術・映像などに関する鑑賞は、人々の創造的活動の源泉及び日常生活に潤いを与える知的活動手段として重要な役割を果たしている。我々は、これまで紙ベース中心のドキュメント等に慣らされており、ハードコピーベースのコンテンツ鑑賞に甘んじてきた。近年、情報通信技術の進展に伴い、ディジタルコンテンツの流通も活発化し、従来のペーパドキュメントでは実現が困難であった多くの新しいコンテンツ鑑賞が期待できるようになってきている。しかし、現状では、ディジタル・コンテンツの鑑賞支援機能はユーザの要望を十分に満足させるものとはなっていない。
【０００３】
期待されるコンテンツ鑑賞支援機能の代表的な一例として、個人の好みに合わせたコンテンツの「見せ方」があげられる。例えば、文字のサイズやフォントの選択、読書領域のフォーカシング、ハイパーテキストによるコンテンツ連鎖などや、音声朗読、読聞並列機能、原書読書等を容易にする辞書支援機能などは、ディジタル・コンテンツであることにより容易に実現できる機能であり、これらの機能によりペーパドキュメントに比べて、より優れた「見せ方」が期待できる。
【０００４】
もう一つの例は、ユーザのコンテンツに対するアクセス履歴とリアクション履歴の採取及び履歴情報の活用に関するものである。従来のペーパードキュメントでは、読者等の読書記録や感想を記録として残すには、紙と鉛筆とともに、相応の時間も強いられるため、読者の強い意思が求められ、結果的には、手を抜き、再活用もできない場合が一般的である。これに対して、ディジタルコンテンツは、コンピュータ処理を介して、ユーザに利用されることから、コンテンツアクセス機能と併行して作動するアクセス履歴やリアクション履歴の採取機能及びこれらの履歴情報の活用機能を提供することで、従来にない新たなコンテンツ鑑賞支援機能が提供され、ユーザは、従来の紙ベースの場合と比べて、コンテンツの持ち味をより深く味わうことが可能になる。
【０００５】
以上に述べたような、ディジタルコンテンツの持ち味を、十分に活かし、読書等（読書、音楽鑑賞、画像・映像鑑賞等）の面白さ、喜びを高める仕掛けとしてのディジタルコンテンツ鑑賞支援機能は、未だ実現されていない。
【０００６】
【発明が解決しようとする課題】
本発明は、読書等（読書、音楽鑑賞、画像・映像鑑賞等）の面白さ、喜びを高める仕掛けの提供を目的とする。
【０００７】
我々は、日常生活のなかで多くの人々とのコミュニケーション活動やマスメディアを通して情報活動を繰り広げている。その中で、読書等の文化活動は人々の創造的活動の源泉及び日常生活に潤いを与える知的活動の有力な手段であるが、どちらかというと各個人の能動的な活動を伴うため、忙しさや安易さに押し流される傾向も少なくない。
【０００８】
ディジタルコンテンツオペレーティングシステムの魅力としては、第１に、自分の知的活動の履歴を自動的に採取し、ディジタルコンテンツに向かって行動・反応した履歴情報を蓄える欲求（ためる喜び）をかなえること、第２に、読書活動の履歴情報から、役立ちそうな情報を必要に応じて再確認・利用（再見、再現）できることで、コンテンツの鑑賞度（鑑賞力）を高める欲求（ひもとく喜び）をかなえることが挙げられる。ディジタルコンテンツオペレーティングシステムの基本的な役割としては、従来のペーパドキュメントでは困難であった「コンテンツ鑑賞支援機能」を提供することにより、コンテンツに対するより深い鑑賞を可能にすること、特にディジタルコンテンツへのアクセス履歴やリアクション履歴を採取・記録・蓄積し、読者等に加工・利用可能にするオペレーティングソフトウエア（本明細書において「見聞録」と称する。）の新しい機能により、読書等の喜びを引出すことを狙いとしている。また、かかる機能を用いて読書等を重ねることにより個人の知的活動の蓄積としての「ナレッジマイレージ」等を享受できるようにすることを狙いとしている。
【０００９】
本発明によるオペレーティングソフトウエア「見聞録」は、紙ベースコンテンツに対して読者等が脳裏に焼き付け、記憶を引出して活用してきたことに相当する機能を、コンピュータを介して、ディジタルコンテンツに対する読者等のアクセス履歴やリアクション履歴を採取し、記録装置に記録・保存し、読者等に利用可能とする機能を利用したものであり、このように、アクセス履歴やリアクション履歴の採取・記録・保存を実現し、読者に対してかかる履歴の記録を利用し、コンテンツ鑑賞をより高める新しいサービスを提供するものである。
【００１０】
現在の情報通信技術は、従来の一冊の本と同等の容積・重量に相当するノートパソコン等で、日常の読書活動に十分な量のディジタルコンテンツを貯蔵でき、かつ、これらを読者の要望に合わせて読み・聞き・記録させる能力を、容易に発揮できるレベルに到達している。
【００１１】
ペーパドキュメントでは、自分が気に入った部分をもう一度みたいと思っても即時に手元に引出しにくい欠点があったが、かかるアクセス履歴やリアクション履歴の収集・活用機能の提供により、もう一度みたいと思うコンテンツを即時に手元に引出すことが可能な再見支援機能を実現でき、読者等に対して、読書等の味わい方をより深める効果を発揮できる。また、これにより読書等のコンテンツ鑑賞力を高める効果も発揮できる。
【００１２】
【課題を解決するための手段】
上記課題を解決するために、本発明によるディジタルコンテンツオペレーティングシステムは、読書等鑑賞のためのディジタルコンテンツオペレーティングシステムであって、コンピュータ、ディジタルコンテンツのアクセス履歴を記録するアクセス履歴記録部、リアクション履歴を記録するリアクション履歴記録部、原コンテンツを加工したパーソナル利用コンテンツを記録するパーソナル利用コンテンツ記録部及び前記アクセス履歴と前記リアクション履歴を採取・記録・蓄積し、読者等に加工・利用可能にするコンテンツオペレーティングソフトウェアを有し、前記原コンテンツの加工はマーキングにより行い、前記アクセス履歴は、読者等がディジタルコンテンツにアクセスしたことの履歴を記録として残したもので、アクセス者、アクセス日時、アクセス対象、アクセス部分、アクセス方法等から構成され、前記リアクション履歴は、読者等がアクセス対象又は／及びアクセス部分に対してアクセスしたことにより生じた反応（リアクション）の事象を、読者等の指示により記録として残したもので、前記リアクションの事象は、棒読み、素読、精読を含んで分類されることを特徴とする。
【００１４】
これは、請求項１に相応し、読者等（書物に関する読者、音楽に関する聴者、画像・映像に関する視聴者等）にアクセス履歴やリアクション履歴の利用を可能にし、読書等（読書、音楽鑑賞、画像・映像鑑賞等）の面白さ、喜びを高める仕掛けを提供するものである。
【００１５】
また、前記リアクションの事象は前記マーキングの行為を含み、前記マーキングの方法はアンダーライン、色マーキング又は色反転表示であり、前記マーキングの意味は前記読者等が好むように決められることを特徴とし、請求項２に相応する。
【００１６】
また、前記アクセス部分として前記マーキング箇所が記録されることを特徴とし、請求項３に相応する。
【００１７】
アクセス対象はディジタルコンテンツに付与されたタイトル（書名、曲名、作品名など）等で指定され、アクセス部分は、画面に表示された部分、音として出力された部分、カーソルがあてられた部分等、読者等がある意図を持って着目した部分をいい、目次、本文、索引等に分類され、さらに本文はページ・行・桁又は章・節・項・フレーズ・文章・単語・図・表等に分類されることを特徴とする。
【００１８】
これらの項目は読者等に有用な情報を提供し、集計等も可能である。これらの分類により、アクセス対象、アクセス部分への再アクセスが容易になる。ディジタルコンテンツの対象は様々であり、これに応じて分類も変化するので、請求項１において、「等」（読者等の「等」を除く）は他の項目が追加されたり、一部の項目が削除された場合も含む意義である。例えば、単行本でも、索引がない場合もあり、雑誌では、本文の代わりに、複数の掲載記事やタイトルが存在する。
【００１９】
アクセス方法は、見る、読む、聞く、聴く等に分類されることを特徴とする。
【００２１】
また、リアクションの事象は、棒読み、素読、精読、聞き流し、マーキング等に分類されることを特徴とする。
【００２２】
これらの項目も読者等に有用な情報を提供する。また、ここでの「等」も他の項目が追加されたり、一部の項目が削除された場合も含む意義である。
【００２３】
【発明の実施の形態】
本発明の内容について説明する前に、まず、本明細書で用いる用語について説明する。
【００２４】
ディジタルコンテンツとは、ディジタル化された（ＣＤ−ＲＯＭ、ＦＤ，ＤＶＤ、磁気テープ、磁気ディスク等の記憶装置に収録された）あらゆる種類のテキスト情報、音声情報、画像情報、映像情報をいい、学術、文学、音楽、美術、映像の分野の他、産業、経済、実用、趣味、教育、宗教等広い分野のドキュメント等も対象となる。ここに画像情報には、コンピュータ等で作成された図面を含み、映像情報には写真撮影された映像を含む。
【００２５】
アクセスとは、パーソナルコンピュータ等を用いて記憶装置に格納されたディジタルコンテンツを読み出して、表示装置・音声音響出力装置・印刷装置を介して情報を出力する行為をいう。
【００２６】
アクセス履歴とはユーザがディジタルコンテンツにアクセスした履歴を記録として残したもので、アクセス者、アクセス日時（開始、終了等の）、アクセス対象（ディジタルコンテンツに付与されたタイトル、書名、曲名、作品名等）、アクセス部分（目次、本文、索引等、さらに本文はページ・行・桁又は章・節・項・フレーズ・文章・単語・図・表等に分類される）、アクセス方法（見る・読む・聞く・聴く・探す・確認する等に分類される）等を記録する。アクセス方法は、本を読む、音楽を聴く、画像・映像を見る・聞く等アクセス対象に依存する場合が多いが、必要データを探す、記憶した内容を確認する等アクセス対象に依存しない場合もある。
【００２７】
本実施の形態ではこのうち、アクセス者、アクセス日時、アクセス対象をレベル１の内容として扱い、アクセス部分、アクセス方法をレベル２として扱う。このうちレベル１の項目はユーザが何の行為をしなくてもコンピュータが認識できるものであり、レベル２の項目はユーザがマーキングや入力行為をすることによりコンピュータが認識可能となるものである。
【００２８】
リアクション履歴とは、ユーザがアクセスして出力された情報に対して示した反応（リアクション）の履歴を記録として残したもので、ノンリアクションとリアクションがあり、リアクションの事象には、棒読み（字面を追いかける）、素読、精読、聞き流し（流れてくる音を聞き流す）、マーキング（印をつける）等の行為があり、ノンリアクションの事象には開きっぱなし（眠り読み、眠り聞き等）の行為がある。リアクションの事象は、本を棒読み、素読、精読、音楽を聞き流し、静聴、聴き入る、画像・映像を眺める、鑑賞する、見入る等アクセス対象に依存する場合が多いが、印象に残らない、没頭する、感動した、共感した等アクセス対象に依存しない場合もある。これらリアクションの事象のいずれに該当するかはユーザ自身の判断で選別可能である。また、リアクションの内容には、マーキング箇所の内容やユーザ自身のメモ書き等が該当する。本実施の形態ではこれらリアクションの事象や内容をレベル３として扱う。
【００２９】
マーキングには、アンダーラインを付する、色マーカを付する等の行為があり、マークの意味としては、重要・納得・感嘆・同感・異議あり・心に留め置きたい・どこかで使いたい等があり、ユーザが好むように決めることができる。
【００３０】
次に、図面に基づき本発明の実施の形態について説明する。
【００３１】
図１に本発明によるディジタルコンテンツオペレーティングシステムの構成を示す。１はユーザ（読者等）のパーソナルコンピュータで、２は単行本、雑誌その他のディジタルコンテンツを記録する記録装置、３はユーザの指示（読み出し、書き込み、カーソル移動、マウスクリック等）を入力する入力装置、４はディジタルコンテンツをモニタ画面に表示可能な表示装置、５はディジタルコンテンツを音に変換して出力する音声音響出力装置、６は印刷装置、７はユーザの指示に従い、ディジタルコンテンツを記録装置から読み出し、書き込み、表示装置への表示、音声音響出力装置への出力等を制御するパーソナルコンピュータの制御部である。記録装置２は、ディジタルコンテンツを原コンテンツのまま保存する原コンテンツ記録部８と、ユーザがアクセスした原コンテンツにアンダーライン等のマーキング等の加工を加えて保存するパーソナル利用コンテンツ記録部９と、ユーザのアクセス履歴情報を記録するアクセス履歴記録部１０と、ユーザのリアクション履歴情報を記録するリアクション履歴記録部１１から構成される。アクセス履歴記録部１０及びリアクション履歴記録部１１に記録されたアクセス履歴情報及びリアクション履歴情報は、それぞれ、パーソナル利用コンテンツ記録部９に格納されたコンテンツ情報とリンクされる。
【００３２】
次に、上記ディジタルコンテンツオペレーティングシステムの使用方法について説明する。読者がディジタルコンテンツを欲しいと思った時に、まず、ユーザのパーソナルコンピュータ１を立ち上げ（周辺機器も同時に立ち上げる）、次に本発明によるオペレーティングソフトウエア「見聞録」を起動する。この「見聞録」の起動により、記録装置２に記録・蓄積されたディジタルコンテンツの検索が可能になり、読者は入力装置３を用いて制御部７に欲しいと思ったディジタルコンテンツを検索し、表示装置４に表示するよう指示し、制御部７は指示に従い、記録装置２に記録・蓄積されたディジタルコンテンツにアクセスして表示装置３に表示する。この時、原コンテンツ記録部８に保存されたディジタルコンテンツとパーソナル利用コンテンツ記録部９に保存されたディジタルコンテンツのいずれを表示するか選択可能であるが、パーソナル利用コンテンツ記録部９に保存されたディジタルコンテンツを選択した場合の表示装置に表示される画面の例を図２から図４に示す。
【００３３】
図２はドキュメントが単行本の場合の表示画面の例で、ディジタルコンテンツを検索後に最初に表示される画面である。図２において、左側の枠内には、レベル１として、対象ドキュメントである単行本のタイトル名「ビル・ゲイツ＠思考スピードの経営」と読書開始日時（１９９９年5月２日１６時４５分）、読書領域（９２頁〜１１２頁）、読書終了日時（１９９９年5月２日１７時４５分）、レベル２として、アンダーライニング個所（９２頁第１章９３頁１３行〜１４行等）が表示されている。これらは、読者のこれまでのアクセス履歴を示すものである。右上の枠内には、「タイトル、目次、本文、索引」及び「頁（行）／章（章・節・項）／図・表」と表示され、右下の枠内には、「目次、本文」及び「頁（行）／章（章・節・項）／図・表」と表示されている（本例のディジタルコンテンツは単行本なので、右下の枠内の内容は本来は表示されないが、ディジタルコンテンツが雑誌の場合にはこのような内容が表示されるという意味で示したものである。）。ここで、読者が「タイトル、目次、本文、索引」のいずれかを選択すれば、それぞれタイトル、目次、本文、索引の内容が表示装置４の新たな枠内（右上の枠内あるいは右下の枠内をそのまま用いても良い）に表示される。この際、読者が「本文」を選択した場合には、さらに「頁（行）／章（章・節・項）／図・表」のいずれかを選択すると、相応する頁、章等の内容が表示装置４に表示される。選択しない場合は本文の最初の頁行が表示される。
【００３４】
図３はドキュメントが雑誌の場合の表示画面の例である。図３において、左側の枠内には、レベル１として、対象ドキュメントである雑誌名「日経エレクトロニクス」、掲載記事のタイトル名である「ＨＤＤ家庭を射程に」と読書開始日時（１９９９年5月２日８時３０分）、読書領域（９３頁〜１１４頁）、読書終了日時（１９９９年5月２日９時１５分）、レベル２として、アンダーライニング個所（９４頁第１段落１行、９５頁第１段落２０行、９６頁図３等）、レベル３として「リンケージ有り」が表示されている。これらは、読者のこれまでのアクセス履歴及びリアクション履歴を示すものである。
【００３５】
レベル２のアンダーライニング個所の表示は本文とリンクされている。「レベル２の内容」の表示をクリックすると、アンダーライニングの内容が表示される。本例では右上の枠内に、９４頁第１段落１行のアンダーライニングの内容「２９ＧＢ  ２２９５  ３．５インチＨＤＤ  １０００Ｓ  パソコンとの連動」及び９５頁第１段落２０行のアンダーライニングの内容「３．５インチ面記録密度  年１０％成長  ディジタルＡＶ機器へ」が表示される。なお、「レベル２の内容」下の頁行の表示をクリックすると、当該頁行のアンダーラインイニングの内容を含む本文が表示される。
【００３６】
「レベル３の内容」の表示をクリックすると、読者のリアクションとしての読書メモの内容が表示される。本例では右下の枠内に、レベル３のリンケージ文の内容として「参考ドキュメント  ＰＤＬシステムの情報タンク媒体としてウオッチが必要」が表示される。ここで、読者が「レベル２の内容」、「レベル３の内容」のいずれかの表示をクリックすると、当該雑誌の当該アンダーラインが付された頁・行を含む本文の内容が表示装置４の新たな枠内（右上の枠内あるいは右下の枠内をそのまま用いても良い）に表示される。例えば、「２９ＧＢ…」をクリックすると、９４頁第１段落１行目の「２９ＧＢ…」にアンダーラインが付された本文の内容が表示装置４の新たな枠内に表示される。
【００３７】
図４はドキュメントが会社発行雑誌の場合の表示画面の例である。図４において、左側の枠内には、レベル１として、対象ドキュメントである雑誌名「ＮＴＴＲ＆Ｄ」、掲載記事のタイトル名である「２１世紀の情報流通産業に向けて」と読書開始日時（１９９９年5月２日１０時３０分）、読書領域（１２０１頁〜１２０４頁）、読書終了日時（１９９９年5月２日１１時１５分）、レベル２として、アンダーライニング個所（１２０１頁図１、１２０２頁図３、１２０３頁図５等）、レベル３として「リンケージ有り」が表示されている。これらは、読者のこれまでのアクセス履歴及びリアクション履歴を示すものである。
【００３８】
レベル２のアンダーライニング個所の表示は本文とリンクされ、「レベル２の内容」の表示をクリックすると、アンダーライニングの内容が表示される。本例では右上の枠内には、１２０１頁図１のアンダーライニングの内容（図のタイトル）「情報流通Ｒ＆Ｄビジョン」、１２０２頁図３のアンダーライニングの内容（図のタイトル）「情報流通の３つの波」、及び１２０３頁図５のアンダーライニングの内容（図のタイトル）「情報流通市場の４つの階層」が表示される。なお、「レベル２の内容」下の図番の表示をクリックすると、当該図番に係る図面がアンダーラインイニングの内容を含めて表示される。
【００３９】
レベル３の「リンケージ有り」の表示は本文とリンクされ、「レベル３の内容」の表示をクリックすると、リンケージに係る読書メモの内容が表示される。右下の枠内には、レベル３のリンケージに係る読書メモの内容として「情報流通  放送系コンテンツにとらわれすぎているかも…」が表示される。ここで、読者が「レベル２の内容」、「レベル３の内容」のいずれかの表示をクリックすると、当該雑誌の当該アンダーラインが付された頁・行を含む本文が表示装置４の新たな枠内（右上の枠内あるいは右下の枠内をそのまま用いても良い）に表示される。例えば、「情報流通  放送系…」をクリックすると、当該読書メモに対応する本文が表示装置４の新たな枠内に表示される。
【００４０】
入力装置３を介した読者の指示を制御部７がコントロールすることにより、表示装置４内の枠は増減、拡大縮小、表示画面内での移動が可能である。図２から図４において、選んだ頁・行が表示装置４に表示された後に、読者は当該頁・行から前後に進むことができるが、また、枠の操作により図２から図４の左側の枠、図２の右上の枠、右下の枠の表示に戻ることも可能である。このようにして、読者は過去の読書履歴（レベル１の読書終了開始日時、読書領域、レベル２のアンダーライニング、レベル３の読書メモ）を参照しながら、ディジタルドキュメントの読書を進めることができる。また、表示画面の枠内の表示や、アンダーライニングした（またはアンダーラインを除いた）文章の内容等を、入力装置３から読者の指示を入力することにより、制御部７のコントロールを介して印刷装置６からペーパドキュメントとして出力可能である。また、当該ドキュメントに関し朗読等の音声音響出力がサポートされている場合には、同様に読者の指示により制御部７のコントロールを介して音声音響出力装置に出力可能である。
【００４１】
次に、読者がアクセス履歴、リアクション履歴を記録する方法を説明する。まず、読者が欲するディジタルドキュメントの欲する頁行をパーソナル利用コンテンツ記録部９から読み出し（初めてであれば、或いは読者が新たに履歴を取り直したいと欲する場合は、原コンテンツ記録部８から読み出し）、前述のようにして表示装置３の画面の枠内に表示する。次に読者がアンダーライニングをしたいと思った時には、マウスやキーボード等の入力装置３を用いて、アンダーライニングをしたいと思った箇所を選択し、アンダーライニングしておく。また、読者がリアクション履歴としての読書メモを記録したいと思った時には、マウスやキーボード等の入力装置３を用いて、読書メモを記録したいと思った箇所を選択し、「読書メモ」の指示をすると、「読書メモ」の枠が表示装置３の画面に表示されるので、当該枠内にメモの内容を入力しておく。
【００４２】
読者が当該ディジタルドキュメントについて、読者は入力装置３を用いてパーソナルコンピュータの制御部７に保存を指示すると、制御部７は指示に従い、表示装置４に表示されたディジタルコンテンツの内容を更新して記録装置２のパーソナル利用コンテンツ記録部９に保存する。また、同時にアクセス履歴、リアクション履歴も更新されて、それぞれアンダーライニングの記録がアクセス履歴記録部１０に、読書メモ等の記録がリアクション履歴記録部１１に保存される。
【００４３】
また、読者が当該単行本や雑誌について読書を終了する場合には、読者は入力装置３を用いてパーソナルコンピュータの制御部７に読書終了を指示すると、制御部７は指示に従い、表示装置２に表示されたディジタルコンテンツの内容を更新して記録装置２のパーソナル利用コンテンツ記録部９に保存する。また、同時にアクセス履歴、リアクション履歴も更新されて、それぞれアンダーライニングの記録がアクセス履歴記録部１０に、読書メモ等の記録がリアクション履歴記録部１１に保存される。これらパーソナル利用コンテンツ記録部９、アクセス履歴記録部１０、リアクション履歴記録部１１に保存された情報は、次回、同じディジタルコンテンツが選択された時に、レベル１からレベル３の情報として表示装置４の画面に表示され、読者の利用に供される。これらの情報が保存された後に、オペレーティングソフトウエア「見聞録」が終了する。読者はその後、パーソナルコンピュータをオフにすればよい。
【００４４】
以上の説明では、アクセス履歴のうちレベル２として、アクセス部分（タイトル、目次、本文、索引、及び、頁（行）／章（章・節・項）／図・表）のみの例を説明したが、アクセス方法（見る・聞く・読む・聴く等）をレベル２として扱うことも可能である。この場合には、図３の左側の枠内のアンダーライニング箇所に「見る・聞く・読む・聴く・探す・確認する」等の表記を併記する。「見る・読む・聞く・聴く・探す・確認する」等は、表示装置４に示された「アクセス方法」の入力画面の枠に読者がキーボード等の入力装置３から入力しても良く、予め入力画面の枠に用意されたタグから選んでもよい。
【００４５】
また、以上の説明では、リアクション履歴についてレベル３として読者メモについてのみ説明したが、リアクション履歴とはユーザがアクセスして出力された情報に対して示した反応（リアクション）の履歴を記録として残したもので、ノンリアクションとリアクションの区別、リアクションの事象、すなわち、棒読み（字面を追いかける）、素読、精読、聞き流し（流れてくる音を聞き流す）、静聴、聴き入る、眺める、鑑賞する、見入る、印象に残らない、没頭する、感動した、共感した、マーキング（印をつける）等の行為や、ノンリアクションの事象、すなわち、開きっぱなし（眠り読み、眠り聞き等）の行為、リアクションの内容（マーキング箇所の内容やユーザ自身のメモ書等）を記録しても良い。これらの場合には、図３の左側の枠内の「リンケージ有り」の箇所に「リアクション・ノンリアクション」を区別する表記や「棒読み・聞き流し・マーキング・開きっぱなし」等の表記を併記しても良く、レベル３の内容を表示する右下の枠内に読者メモと併記しても良い。これらの表記は、表示装置４に示されたリアクション履歴の入力画面の枠に読者がキーボード等の入力装置３から入力しても良く、予め入力画面の枠に用意されたタグから選んでもよい。
【００４６】
また、マーキングとしてアンダーラインを付する場合のみを説明したが、その他、色マーカを付する等の行為については、図２から図４の左側の枠内の「（アンダーライニング）」と区別してその下方に、「（色マーキング）」として表示し、図３及び図４の右上の枠には、色マーキングされた内容と共に、色を表示しても良い。その他、アンダーラインの太さや線種を変えたり、色反転表示、字体や字の太さを変える等様々なマーキング方法があり、マークの意味としては、重要・納得・感嘆・同感・異議あり・心に留め置きたい・どこかで使いたい等があり、読者が好むように決めることができる。
【００４７】
また、ディジタルドキュメントが音楽に係る場合には、表示装置３に楽譜や歌詞等を表示すると共に音声音響出力装置４に音声や音響を出力させる。また、マーキングは、聴者がキーボードやマウス等の入力装置３を用いて、表示装置４に表示された楽譜や歌詞に対して行っても良く、聴者が音楽を聴きながら、マウス等を操作することにより表示装置４の画面に表示されたリアクション入力枠内に用意されたタグ（素晴らしい、心地よい、うるさい、間違い、聞き取り難い等）を用いて入力しても良い。なお、音楽の場合のアクセス部分は、タイトル、楽章、小節等に（オペラでは幕等に）分類される。
【００４８】
また、ディジタルドキュメントが画像や映像に係る場合には、表示装置３に画像や映像を表示すると共に音声音響出力装置４にナレーション等の音声や音響を出力させる。また、マーキングは視聴者がキーボードやマウス等の入力装置３を用いて、表示装置４に表示された画像や映像に対して行っても良く、視聴者が表示装置４を見ながら或はナレーション等を聞きながら、マウス等を操作することにより表示装置４の画面に表示されたリアクション入力枠内に用意されたタグ（素晴らしい、面白い、美しい、解かりやすい、間違い、愚劣等）を用いて入力しても良い。なお、画像や映像の場合のアクセス部分は、タイトル、図番、フィルム番号等に分類される。
【００４９】
また、本発明のディジタルコンテンツとして、テキスト情報、音声情報、画像情報、映像情報の組み合わせである場合もあり、また、学術、文学、音楽、美術、映像の分野の他、産業、経済、実用、趣味、教育、宗教等広い分野のドキュメントが対象となる。したがって、アクセス履歴の内容、リアクション履歴の内容に様々な変化が予測される。例えば、学術の分野では、論文が発表された学会の名称をアクセス履歴に記録したり、産業の分野では、「新製品開発のヒントになりうる」等をリアクション履歴に記録したりすることが予測される。このように本発明の趣旨を逸脱しない範囲で様々な変更が可能であることは明らかである。
【００５０】
【発明の効果】
以上説明したように、本発明によれば、従来のペーパドキュメントで実現できなかった「コンテンツ鑑賞支援機能」を提供することにより、読書等のコンテンツ鑑賞力を高めること、特に読書等へのアクセス履歴やリアクション履歴を採取・記録・蓄積し、読者等に利用可能にするオペレーティングソフトウエア「見聞録」の新しい機能により、読書の喜びを引出すことが可能である。すなわち、発展しつづけている情報通信環境の下で、必要と思えばいつでもアクセス可能なディジタルコンテンツを紙ベースの数百倍以上を身辺に持てる環境で個人の情報所有欲（もてる喜び）を活かし、第１に、個人のナレッジ活動の一側面の履歴を自動的に採取でき、ドキュメントに向かって行動をした履歴情報から個人のナレッジ活動の状況を客観的に把握できる欲求（ためる喜び）をかなえること、第２に、読書活動の履歴情報から、必要に応じて役立ちそうな箇所をいつでも再確認（再見、再現）できるようにし、コンテンツの鑑賞度（鑑賞力）を高める欲求（ひもとく喜び）をかなえることに役立つ。
【００５１】
本発明によるオペレーティングソフトウエア「見聞録」は、ペーパドキュメントで読者等が脳裏に焼き付け、記憶を引出して活用してきた機能を、ディジタルドキュメントについてコンピュータを介して、読書等のアクセス履歴やリアクション履歴を採取し、記録装置に記録・蓄積し、読者等に利用可能とする機能を利用したものなので、このように、アクセス履歴やリアクション履歴の記録を実現し、読者等に対してかかる履歴の記録を利用してもらう新しいサービスを提供できる。これにより、読書等のさらなる喜びを引出すことができる。また、かかる機能を用いて読書を重ねることにより個人が選んだ読書マイレージ等を享受させられる。
【００５２】
また、かかるアクセス履歴やリアクション履歴の提供により、もう一度みたいと思うディジタルコンテンツを即時に手元に引出すことが可能な再見支援機能を実現でき、読者等に対して、読書等の味わい方をより深める効果を発揮できる。また、これにより読書等のコンテンツ鑑賞力を高める効果も発揮できる。
【図面の簡単な説明】
【図１】本発明によるディジタルコンテンツオペレーティングシステムの構成を示す図である。
【図２】ディジタルドキュメントが単行本の場合の「見聞録」による表示画面の例を示す図である。
【図３】ディジタルドキュメントが雑誌の場合の「見聞録」による表示画面の例を示す図である。
【図４】ディジタルドキュメントが会社発行雑誌の場合の「見聞録」による表示画面の例を示す図である。
【符号の説明】
１  パーソナルコンピュータ
２  記録装置
３  入力装置
４  表示装置
５  音声音響出力装置
６  印刷装置
７  制御部
８  原コンテンツ記録部
９  パーソナル利用コンテンツ記録部
１０  アクセス履歴記録部
１１  リアクション履歴記録部
【図１】
0004060028.tif 000002
【図２】
0004060028.tif 000003
【図３】
0004060028.tif 000004
【図４】
0004060028.tif 000005